(57)【特許請求の範囲】
【請求項１】
屋根材の上方に他の屋根材の一部を重ねて葺いた屋根と、
前記屋根材の表裏を貫通して形成された取付孔と、
前記取付孔を通して前記屋根に締結された緊結材と、
前記緊結材により前記屋根に固定され、屋根配置設備を連結する取付基台と、
前記取付孔を有する屋根材と前記取付基台との間に設けられ、上部を前記取付孔を有する屋根材と前記他の屋根材との間に挿し入れられた防水板と、
前記防水板に形成された立上り部と、を備え、
前記緊結材が、前記立上り部の、前記屋根の傾斜に沿った下方の位置で前記防水板を貫いており、かつ、前記屋根の傾斜方向に沿った上下の前記屋根材のそれぞれの角に、前記取付基台を載せたことを特徴とする屋根配置設備を配置した屋根構造。
【請求項２】
屋根材の上方に他の屋根材の一部を重ねて葺いた屋根と、
前記屋根材の表裏を貫通して形成された取付孔と、
前記取付孔を通して前記屋根に締結された緊結材と、
前記緊結材により前記屋根に固定され、屋根配置設備を連結する取付基台と、
前記取付孔を有する屋根材と前記取付基台との間に設けられ、上部片を前記取付孔を有する屋根材と前記他の屋根材との間に挿し入れられた防水板と、
前記防水板の下部片に形成された立上り部と、を備え、
前記緊結材が、前記立上り部の、前記屋根の傾斜に沿った下方の位置で前記防水板を貫いており、
前記立上り部は、前記緊結材が前記防水板を貫く複数の位置を含む突状部の一部であり、
前記下部片は、断面凹凸状の凹凸部を前記屋根の傾斜に沿って平行に形成され、該下部片の突状部頂部に前記緊結材を貫かせていることを特徴とする屋根構造。
【請求項３】
屋根材の上方に他の屋根材の一部を重ねて葺いた屋根と、
前記屋根材の表裏を貫通して形成された取付孔と、
前記取付孔を通して前記屋根に締結された緊結材と、
前記緊結材により前記屋根に固定され、屋根配置設備を連結する取付基台と、を備え、
前記屋根配置設備を前記取付基台を介して配置する屋根において、
前記取付孔を有する屋根材と前記取付基台との間に設けられた防水板であり、該防水板の上部片が、前記取付孔を有する屋根材と前記他の屋根材との間に挿し入れ可能に形成され、
下部片が、該防水板を前記緊結材が貫く位置の前記屋根の傾斜に沿った上方に立上り部を有し、前記立上り部は、前記緊結材が前記防水板を貫く複数の位置を含む突状部の一部であり、
前記下部片は、断面凹凸状の凹凸部を前記屋根の傾斜に沿って平行に形成され、該下部片の突状部頂部に前記緊結材を貫かせていることを特徴とする防水板。
【請求項４】
前記凹凸部の高さ幅を、前記防水板の上下方向に沿って異ならせ、前記取付基台が前記屋根の傾斜角度と同一の傾斜角度となるように形成したことを特徴とする請求項３に記載の防水板。
【請求項５】
前方の端縁が、端縁の中央を先端として先端から後方側に斜めに延び、先鋭に形成されていることを特徴とする請求項３に記載の防水板。
【請求項６】
前記凹凸部の複数の突状部に載せる基板を有し、当該基板の両端が下方に湾曲し、前記突状部の凹凸形状に沿って形成されていることを特徴とする請求項３に記載の防水板。
【請求項７】
屋根材の上方に他の屋根材の一部を重ねて葺いた屋根と、
前記屋根材の表裏を貫通して形成された取付孔と、
前記取付孔を通して前記屋根に締結された緊結材と、
前記緊結材により前記屋根に固定され、屋根配置設備を連結する取付基台と、を備え、
前記屋根配置設備を前記取付基台を介して配置する屋根において、
前記取付孔を有する屋根材と前記取付基台との間に設けられた防水板であり、該防水板の上部片が、前記取付孔を有する屋根材と前記他の屋根材との間に挿し入れ可能に形成され、
下部片が、該防水板を前記緊結材が貫く位置の前記屋根の傾斜に沿った上方に立上り部を有し、
前記立上り部以外の位置に、前記屋根材との間に少なくとも水の毛細管現象を生じさせない凹もしくは凸を形成したことを特徴とする防水板。
【請求項８】
屋根材の上方に他の屋根材の一部を重ねて葺いた屋根と、
前記屋根材の表裏を貫通して形成された取付孔と、
前記取付孔を通して前記屋根に締結された緊結材と、
前記緊結材により前記屋根に固定され、屋根配置設備を連結する取付基台と、を備え、
前記屋根配置設備を前記取付基台を介して配置する屋根において、
前記取付孔を有する屋根材と前記取付基台との間に設けられた防水板であり、該防水板の上部片が、前記取付孔を有する屋根材と前記他の屋根材との間に挿し入れ可能に形成され、
下部片が、該防水板を前記緊結材が貫く位置の前記屋根の傾斜に沿った上方に立上り部を有し、
前記下部片の下端下面に突起を複数設け、前記防水板の下端下面と前記屋根材との間への雨水の浸入を防止したことを特徴とする防水板。
【請求項９】
請求項３〜６のいずれか１項に記載の防水板にかかる取付基台であり、前記凹凸部の複数の突状部に載せる基板を備えたことを特徴とする屋根配置設備を取り付ける取付基台。
【請求項１０】
請求項７に記載の防水板にかかる取付基台であり、前記下部片に載せる基板を備えたことを特徴とする屋根配置設備を取り付ける取付基台。
【請求項１１】
請求項８に記載の防水板にかかる取付基台であり、前記下部片に載せる基板を備えたことを特徴とする屋根配置設備を取り付ける取付基台。
【発明の詳細な説明】
【技術分野】
【０００１】
本発明は、太陽電池パネルなど屋根配置設備を屋根に取り付けるための取付方法、屋根配置設備を配置した屋根構造、屋根配置設備を取り付けるための取付基台及び屋根を防水する防水板に関する。
【背景技術】
【０００２】
家屋の屋根に、太陽電池パネルや温水器など屋根配置設備を配置することがある。太陽電池パネルなどは、屋根に固定した取付基台に、強風などでも飛ばされることがないように強固に取り付けていた。取付基台は例えば、スレート瓦のような屋根材に取付孔を設け、取付孔に通した釘材を垂木まで打ち込み、屋根材の上に固定していた。そして、固定した取付基台を用いて太陽電池パネルなどを取り付け、更に防水用の充填材などを取付孔に充填して塞いだり、取付孔の上を防水シートで覆って屋根の防水処理を行っていた（例えば、特許文献１参照。）。
【先行技術文献】
【特許文献】
【０００３】
【特許文献１】特開２００９−７７８２号公報（第４頁、第１図）
【発明の概要】
【発明が解決しようとする課題】
【０００４】
しかしながら充填材で塞いだ取付孔は、経年変化による充填材の硬化や太陽電池パネルからの振動などにより隙間が生じることがある。取付孔に隙間が生じると屋根材上を流れる雨水が、取付孔に形成された隙間を通って屋根材の下側に流れ出て、雨漏りを生じさせたり、野地板などの屋根構造材を腐らせてしまうことが考えられる。また、特開２００９−７７８２号公報に記載の固定金具では、ビスによる固定箇所と、太陽電池パネル等の取り付け箇所が離れていることから、強度が低下するおそれが考えられる。
【０００５】
本発明は上記課題を解決し、屋根材に形成された取付孔を水が通過することがなく、取付作業が容易な屋根配置設備の屋根への取付方法、屋根配置設備を配置した屋根構造、屋根配置設備を取り付ける取付基台及び屋根を防水する防水板を提供することを目的とする。
【課題を解決するための手段】
【０００６】
上記課題を解決するため、本発明では屋根配置設備の屋根への取付方法、屋根配置設備を配置した屋根構造、屋根配置設備を取り付ける取付基台及び屋根を防水する防水板を、次のように構成した。
【０００８】
屋根材の上方に他の屋根材の一部を重ねて葺いた屋根と、前記屋根材の表裏を貫通して形成された取付孔と、前記取付孔を通して前記屋根に締結された緊結材と、前記緊結材により前記屋根に固定され、屋根配置設備を連結する取付基台と、前記取付孔を有する屋根材と前記取付基台との間に設けられ、上部を前記取付孔を有する屋根材と前記他の屋根材との間に挿し入れられた防水板と、前記防水板に形成された立上り部と、を備え、前記緊結材が、前記立上り部の、前記屋根の傾斜に沿った下方の位置で前記防水板を貫いており、かつ、前記屋根の傾斜方向に沿った上下の前記屋根材のそれぞれの角に、前記取付基台を載せたことを特徴とする屋根配置設備を配置した屋根構造を構成した。
また、屋根材の上方に他の屋根材の一部を重ねて葺いた屋根と、前記屋根材の表裏を貫通して形成された取付孔と、前記取付孔を通して前記屋根に締結された緊結材と、前記緊結材により前記屋根に固定され、屋根配置設備を連結する取付基台と、前記取付孔を有する屋根材と前記取付基台との間に設けられ、上部片を前記取付孔を有する屋根材と前記他の屋根材との間に挿し入れられた防水板と、前記防水板の下部片に形成された立上り部と、を備え、前記緊結材が、前記立上り部の、前記屋根の傾斜に沿った下方の位置で前記防水板を貫いており、前記立上り部は、前記緊結材が前記防水板を貫く複数の位置を含む突状部の一部であり、前記下部片は、断面凹凸状の凹凸部を前記屋根の傾斜に沿って平行に形成され、該下部片の突状部頂部に前記緊結材を貫かせた屋根構造とした。
【０００９】
屋根材の上方に他の屋根材の一部を重ねて葺いた屋根と、前記屋根材の表裏を貫通して形成された取付孔と、前記取付孔を通して前記屋根に締結された緊結材と、前記緊結材により前記屋根に固定され、屋根配置設備を連結する取付基台と、を備え、前記屋根配置設備を前記取付基台を介して配置する屋根において、前記取付孔を有する屋根材と前記取付基台との間に設けられた防水板であり、該防水板の上部片が、前記取付孔を有する屋根材と前記他の屋根材との間に挿し入れ可能に形成され、下部片が、該防水板を前記緊結材が貫く位置の前記屋根の傾斜に沿った上方に立上り部を有し、前記立上り部は、前記緊結材が前記防水板を貫く複数の位置を含む突状部の一部であり、前記下部片は、断面凹凸状の凹凸部を前記屋根の傾斜に沿って平行に形成され、該下部片の突状部頂部に前記緊結材を貫かせた防水板を構成した。
屋根材の上方に他の屋根材の一部を重ねて葺いた屋根と、前記屋根材の表裏を貫通して形成された取付孔と、前記取付孔を通して前記屋根に締結された緊結材と、前記緊結材により前記屋根に固定され、屋根配置設備を連結する取付基台と、を備え、前記屋根配置設備を前記取付基台を介して配置する屋根において、前記取付孔を有する屋根材と前記取付基台との間に設けられた防水板であり、該防水板の上部片が、前記取付孔を有する屋根材と前記他の屋根材との間に挿し入れ可能に形成され、下部片が、該防水板を前記緊結材が貫く位置の前記屋根の傾斜に沿った上方に立上り部を有し、前記立上り部以外の位置に、前記屋根材との間に少なくとも水の毛細管現象を生じさせない凹もしくは凸を形成した防水板を構成した。
屋根材の上方に他の屋根材の一部を重ねて葺いた屋根と、前記屋根材の表裏を貫通して形成された取付孔と、前記取付孔を通して前記屋根に締結された緊結材と、前記緊結材により前記屋根に固定され、屋根配置設備を連結する取付基台と、を備え、前記屋根配置設備を前記取付基台を介して配置する屋根において、前記取付孔を有する屋根材と前記取付基台との間に設けられた防水板であり、該防水板の上部片が、前記取付孔を有する屋根材と前記他の屋根材との間に挿し入れ可能に形成され、下部片が、該防水板を前記緊結材が貫く位置の前記屋根の傾斜に沿った上方に立上り部を有し、前記下部片の下端下面に突起を複数設け、前記防水板の下端下面と前記屋根材との間への雨水の浸入を防止した防水板を構成した。
【００１０】
防水板にかかる取付基台を、防水板の凹凸部の複数の突状部に載せる基板を備えて、屋根配置設備を取り付ける取付基台を構成した。
【発明の効果】
【００１１】
本発明にかかる屋根配置設備の屋根への取付方法、屋根配置設備を配置した屋根構造、屋根配置設備を取り付ける取付基台及び屋根を防水する防水板は、次の効果を有している。  
取付孔が形成された屋根材の上には防水板が載せてあることから、取付孔が形成された屋根材上に流れてきた雨水は、防水板の上を突出部で取付孔を避けて流れ落ちる。したがって、たとえ取付孔に隙間が生じていても、取付孔を通って屋根材の下側に雨水が浸入せず、雨漏りや野地板などの腐食を発生させない。
【００１２】
屋根配置設備の取付方法は、屋根材に防水板を載せて取付基台を取り付けるだけであるので、大きな手間をかけることなく容易に取り付け作業が実施できる。
【図面の簡単な説明】
【００１３】
【図１】本発明の第１の実施形態にかかる、屋根配置設備を取り付けた屋根を示す斜視図である。
【図２】同屋根を示す断面図である。
【図３】第１の実施形態にかかる取付基台と防水板を示す斜視図である。
【図４】同防水板を示す側面図である。
【図５】同取付基台と防水板を屋根に取り付けた状態を示す断面図である。
【図６】第２の実施形態にかかる取付基台と防水板を屋根に取り付けた状態を示す断面図である。
【図７】同防水板を示す斜視図である。
【図８】同取付基台と防水板を屋根に取り付けた状態を示す斜視図である。
【図９】同取付基台と防水板を屋根に取り付けた状態を示す断面図である。
【図１０】他の実施形態にかかる防水板を示す斜視図である。
【図１１】他の実施形態にかかる防水板を示す斜視図である。
【図１２】第３の実施形態にかかる取付基台と防水板を屋根に取り付けた状態を示す断面図である。
【図１３】同取付基台と防水板を示す斜視図である。
【図１４】同取付基台と防水板を屋根に取り付けた状態を示す斜視図である。
【図１５】同取付基台と防水板を屋根に取り付けた状態を示す断面図である。
【図１６】他の形態にかかる防水板を示す斜視図である。
【図１７】同防水板を示す正面図である。
【図１８】他の実施形態にかかる取付基台と防水板を示す斜視図である。
【発明を実施するための形態】
【００１４】
本発明にかかる第１の実施形態にかかる屋根配置設備の取付方法、屋根配置設備を取り付けた屋根構造、およびそれらに用いられる取付基台と防水板について説明する。  
図１に、太陽電池パネルを取り付けた第１の実施形態としての屋根構造１０を示す。  
屋根構造１０は、取付基台１２と、防水板１４と、取付基台１２が取り付けられる屋根１６と、取付基台１２に取り付けられる支持材１８と、支持材１８に支持される屋根配置設備としての太陽電池パネル６０などから構成されている。
【００１５】
屋根１６は、図２にも示すように棟から軒に延びる屋根構造材としての垂木３２の上に野地板３４が取り付けられ、野地板３４の上に防水シートなどを挟んで屋根材３６が葺かれている。屋根材３６は平板状で、屋根１６の傾斜に沿って下方から順次屋根材３６の一部を上に重ねながらビス３７により取り付けられている。ビス３７は、１枚の屋根材３６を貫いて固定してあり、その屋根材３６の下側の屋根材３６の上縁がビス３７の側面に当接している。またビス３７は、ビス３７で固定した屋根材３６の上側に葺かれた他の屋根材３６で上面が覆われている。屋根材３６の上に取付基台１２と防水板１４が設けられている。取付基台１２と防水板１４は、屋根材３６に形成された取付孔３９を通した緊結材としてのビス３８で垂木３２と野地板３４に固定されている。
【００１６】
図３に、取付基台１２と防水板１４を示す。取付基台１２は、基板２０と取付片２２を備えた、アルミニウムなどからなる押し出し成形品であり、長手方向にほぼ同一の断面を有している。基板２０は、平板状に形成されている。基板２０上には取付片２２が設けられている、取付片２２は逆Ｌ字状の２枚の縦片で、互いに平行で、上面に間隙２４が長手方向に均一に形成されている。間隙２４は、ボルト２６のねじ部が通り、頭部が通過しない間隔を有している。また取付基台１２には、取付孔３９に対応した締結孔２５が形成されている。
【００１７】
防水板１４は、例えば合成樹脂からなる平板状の部材で、上下に重ねられた２枚の屋根材３６の間に挿し込み可能な厚み幅を有している。尚防水板１４は、図３の右上方向が屋根１６の傾斜の上方に相当しており、これを前方とし、その逆を後方とする。防水板１４は、前方の端縁４４が、端縁４４の中央を先端として先端から後方側に斜めに延び、先鋭に形成されている。防水板１４の後方端には、ほぼ屋根材３６の厚み幅に等しい幅で、下方にほぼ９０度に屈曲した折曲片４８が形成してある。
【００１８】
防水板１４のほぼ中央には、凹凸部４０が形成してある。凹凸部４０は、横断面がほぼ半円形で縦長に形成された３つの突出部４２から形成されている。３つの突出部４２は、前後に沿ってほぼ平行に形成されている。各突出部４２は、それらの頂部４３が図４に示すように、後方が低くなるよう所定の角度で均一に形成されている。
【００１９】
突出部４２の頂部の角度は、屋根材３６と垂木３２や野地板３４など屋根構造材との傾斜角度の差と等しい値となっている。更に中央に設けられた突出部４２には、頂部４３に締結孔４６が２箇所形成してある。締結孔４６は、防水板１４を屋根材３６の所定の位置に配置すると、屋根材３６に設けられた取付孔３９に対応する位置に形成されている。
【００２０】
次に、太陽電池パネル６０の屋根１６への取り付け方法について説明する。  
屋根１６には、屋根材３６が上述したように各屋根材３６がその一部を重ねて葺かれている。屋根材３６の所定位置に、取付孔３９をドリル等であける。取付孔３９は、基本的には垂木３２の上部とし、垂木３２に沿って２箇所に形成する。取付孔３９を形成したなら、防水板１４の前方端を、取付孔３９を形成した屋根材３６とその屋根材３６の上方にある屋根材３６との隙間に下方から挿し入れる。また、防水板１４の後方端の折曲片４８を屋根材３６の下端に組み合わせる。すると防水板１４の突出部４２に形成された締結孔４６が、取付孔３９の上方に一致する。
【００２１】
尚、防水板１４の突出部４２に形成されている締結孔４６は、予め形成するのでなく、防水板１４を屋根材３６に敷いた後ドリル等であけたり、あるいはビス３８のねじ込みにより直接あけるようにしてもよい。
【００２２】
次に防水板１４の上に取付基台１２を載せ、取付基台１２に形成されている締結孔２５にビス３８を通す。更にビス３８は、防水板１４の突出部４２に形成された
締結孔４６を貫通させ、屋根材３６に形成した取付孔３９を通して、野地板３４および垂木３２にねじ込む。ビス３８により取付基台１２と防水板１４を屋根１６に据え付けた状態を、図２および図５に示す。
【００２３】
取付基台１２は、図５に示すように、屋根材３６の上に敷かれた防水板１４の凹凸部４０の頂部４３上に配置され、基板２０は、凹凸部４０の３つの突出部４２の全ての上に載っている。このように防水板１４は、端縁４４を屋根材３６の間に挿し入れ、ビス３８で固定するだけであるので、容易に取り付けることができる。
【００２４】
取付基台１２が屋根１６に固定されたら、取付片２２の間にボルト２６の頭部を通し、ボルト２６のねじ部に支持材１８をねじ止めする。支持材１８は、ボルト２６を取付片２２の間隙２４に沿って移動させ、所定の位置に固定する。支持材１８が固定されたなら、太陽電池パネル６０を支持材１８間に嵌めこみ、押さえ板２８で押さえる。太陽電池パネル６０は、押さえ板２８と支持材１８と取付基台１２を介して屋根１６に固定される。
【００２５】
取付基台１２は、防水板１４の凹凸部４０に載っているので、太陽電池パネル６０の重量は、防水板１４を介して屋根材３６に掛かる。したがって、例えば太陽電池パネル６０からの荷重やねじ３８による締結力が屋根材３６上の広い面積で受け止められ、屋根材３６へかかる負担が低減される。
【００２６】
また雨天時には、取付孔３９の近傍では、取付孔３９を形成した屋根材３６の上方に葺かれた屋根材３６を流れる雨水は、防水板１４上に落下する。
【００２７】
防水板１４上に落下した雨水は、防水板１４上を流れ落ちるが、防水板１４に形成された突出部４２の下縁に沿って流れ落ちる。ビス３８は、突出部４２の頂部４３に形成された締結孔４６を通っていることから、雨水が締結孔４６を通って取付孔３９に到達することは生じない。また、取付基台１２や防水板１４に直接雨滴が当たった場合でも、締結孔４６は突出部４２の頂部４３に形成してあることから、突出部４２に沿って落水し、締結孔４６の内部に雨滴が浸入することはない。
【００２８】
また防水板１４の上部が屋根材３６の間に挿し入れてあるので、屋根１６上を流下してきた雨水が防水板１４の下側に回り込むことがなく、取付孔３９を通して雨水が屋根材３６の下側に浸入することがない。また防水板１４の前方の端縁４４が先鋭に形成されていることから、例えば屋根材３６と防水板１４の間に毛細管現象などにより水が浸入しても、防水板１４の端縁４４上に水が溜まることがなく、端縁４４の傾斜に沿って流れ落ちる。
【００２９】
防水板１４の下端には、折曲片４８が形成してあり、屋根材３６の下端に組み付けられているので、仮に風雨が強く下から吹き上げがあっても、折曲片４８により防水板１４の下端から防水板１４と屋根材３６との間に風雨が吹き込むことがない。
【００３０】
防水板１４の凹凸部４０の頂部４３の高さ幅が、垂木３２など屋根１６の傾斜角度Ａと屋根材３６の傾斜角度Ｂとの差に合わせて設定されている。屋根材３６は、上下端部が他の屋根材３６と重ね合わせてあるので、屋根材３６の厚み分、各屋根材３６の傾斜角度Ｂと、屋根１６の傾斜角度Ａとの間には角度差が生じている。
【００３１】
防水板１４の凹凸部４０は、屋根１６の傾斜角度Ａと屋根材３６の傾斜角度Ｂの角度差分の角度が、前後方向に形成されている。したがって、取付基台１２を屋根材３６に上述したと同様に据え付けると、取付片２２の傾斜角度Ｃと屋根１６の傾斜角度Ａが等しくなり、太陽電池パネル６０を屋根１６と平行に取り付けても、太陽電池パネル６０の傾斜角度Ｄと取付基台１２の傾斜角度Ｃとの間に角度差が発生しない。したがって太陽電池パネル６０と取付基台１２との間に隙間を生じさせることなく、確実に太陽電池パネル６０を取り付けることができる。
【００３２】
次に、屋根構造にかかる第２の実施形態について説明する。
【００３３】
図６、図７に取付基台１３と防水板１５を示す。防水板１５は、上述した防水板１４と同様、合成樹脂材などからなり、上部片５２と、上部片５２に連続した下部片５４から形成されている。
【００３４】
上部片５２は、平坦で、前方の端縁４４が先鋭に形成されている。下部片５４には、凹凸部４１が上部片５２からなだらかに連続して形成されている。凹凸部４１は、複数の平行に設けられた突出部４５から形成されている。突出部４５は横断面が長手方向にほぼ同一の形状で、各突出部４５は連続して形成してある。これにより、凹凸部４１は市販の波板材と同様の波状形状を有している。中央の突出部４５の頂部４３には、締結孔４６が取付孔３９に対応して一列に形成してある。
【００３５】
更に防水板１５の下端下面には、防風部材としての突起５６が複数形成されている。突起５６は、筒体状で、下部片５４の下面に取り付けられた板材５８に所定の間隔で、好ましくは千鳥状に設けられており、突起５６が抵抗となって下から舞い上がる風雨を通過しにくくし、一方流下してくる雨水等は抵抗なく通過させるようになっている。更に突起５６が設けられている板材５８と凹凸部４１との間には、防水性を有する充填材６２が設けられている。
【００３６】
取付基台１３は、基板２１が５つの突出部４５に跨る幅に形成してあり、かつ基板２１の両端がわずかに下方に湾曲し、突出部４５の凹凸形状に沿うように形成されている。取付片２２は上述したと同様断面ほぼ逆Ｌ字状で、基板２１上に設けられ、上面に間隙２４が長手方向に均一に形成されている。間隙２４は、ボルト２６のねじ部が通り、頭部が通過しない間隔を有している。また、取付孔３９が上述したと同様に形成されている。
【００３７】
図８に、防水板１５と取付基台１３を屋根１６に取り付けた状態を示す。図８に示すように、防水板１５の前方の端縁４４が屋根材３６間に挿し入れられ、後方には、屋根材３６の下端から下方に延びた突起５６と充填材６２が設けられている。
【００３８】
取付基台１３は、図６に示すように防水板１５の上に、基板２１の両端で防水板１５の５つ分の突出部４５を左右から挟むようにして載せる。取付基台１３を、防水板１５の凹凸部４１に沿って移動させ、締結孔４６と取付孔３９の位置を一致させる。
【００３９】
ビス３８を、取付基台１３と防水板１５のそれぞれの締結孔２５、４６に通し、更に屋根材３６の取付孔３９に通す。ビス３８を、野地板３４を通して垂木３２に打ちつけ、取付基台１３を屋根１６に固定する。固定した取付基台１３に支持材１８を固定し、太陽電池パネル６０を固定する。図９に、かかる屋根構造１１を示す。
【００４０】
屋根構造１１は、取付基台１３が防水板１５の凹凸部４１に載っていることから、取付基台１３で受けた荷重を広い面積に分散できる。
【００４１】
雨水は、下部片５４に形成された凹凸部４１の凹溝に沿って下方に流れるので、突出部４５の頂部４３に形成された締結孔４６から防水板１５の下側に雨水等が浸入することはない。また取付基台１３や防水板１５の上に雨水が直接滴下しても、締結孔４６が突出部４５の頂部４３に形成されているので、締結孔４６を通って防水板１５の下面に雨水が浸入することもない。
【００４２】
また、突起５６が防水板１５の下端に設けられていることから、仮に風雨が強く下から吹き上げがあっても、防水板１５の下端から防水板１５と屋根材３６の間に風雨が吹き込むことがない。また防水板１５は、上部を屋根材３６の間に挿し入れ、ビス３８で固定するだけであるので、容易に取り付けることができる。
【００４３】
尚、防水板１５の上部や下部において、左右の突出部４５間に連結部材を取り付け、これにより突出部４５を連結させてもよい。すると、突出部４５が拘束され、荷重により凹凸部４１が外側に開いてしまうことを防止できる。これにより、荷重が大きい場合であっても、少ない突出部４５で対応することができる。
【００４４】
次に、防水板の他の例について説明する。
【００４５】
図１０に防水板１７を示す。防水板１７は、防水板１７の前方に位置する上部片８８とその後方に位置する下部片８６を組み合わせて形成されている。その他の構成は上記例とほとんど同一である。
【００４６】
上部片８８、平板状で、前方の端縁４４が先鋭に形成してあり、後方に、下部片８６に連続する凹凸が形成されている。下部片８６は、波板状の凹凸部８７が防水板１７の前後方向に沿って形成されている。下部片８６は、各凹凸が同一形状の断面で、市販の波板から形成可能である。上部片８８の下部に下部片８６を接着剤や溶融、あるいはビスなどで一体に組み付けると、上記第２の例の防水板１５とほぼ同一の形状となり、同様の効果が得られる。防水板１７によれば、下部片８６を市販の波板材で形成でき、手間とコストを低減できる。
【００４７】
更に、図１１に、防水板にかかる他の例を示す。
【００４８】
図１１に示す防水板１９は、防水板１７と同様、上部に位置する上部片８９とその下部に位置する下部片８６の上下に分割されている。上部片８９は、全体が平板状で、下部に段部９２が形成されている。段部９２は、上部片８９を折曲して形成してあり、下部片８６の凹凸部８７の高さ幅にほぼ等しい高さ幅で、凹凸部８７の頂部９１に連続するように形成されている。また、段部９２と下部片８６の凹凸部８７の間には、その間を埋める充填材９４が設けられている。充填材９４は、パテ状のものでも、スポンジ状のものでもよく、上部片８９と下部片８６の間が防水できればよい。
【００４９】
防水板１９は、上部片８９の下部に下部片８６を組み付け、上部片８９と下部片８６の間に充填材９４を設ける。防水板１９は、上部片８９を通常の平板を折曲加工したもので形成し、下部片８６を上述したように市販の波板材で形成でき、防水板１９のコストをより低減できる。
【００５０】
次に、屋根構造にかかる第３の実施形態について説明する。
【００５１】
図１２に、屋根構造７０を示す。屋根構造７０は、屋根材３６の上に防水板７２を敷き、防水板７２の上に取付基台７４を固定してある。防水板７２は、図１３に示すように、平板状で、合成樹脂材などからなり、ほぼ中央に突出部７６が細長く形成されている。突出部７６の頂部７７は、図１５に示すように屋根材３６と垂木３２との角度差分、一方に所定の角度で傾斜している。また頂部７７には、締結孔４６が２箇所形成されている。
【００５２】
取付基台７４は、上記取付基台１２と同様、基板２０の上に逆Ｌ字状の取付片２２が一対設けられている。取付片２２の間には、所定の間隙２４が形成されている。更に取付基台７４は、取付片２２の間に、立上り部７５が形成されている。立上り部７５は、基板２０の中央が、断面がほぼ台形状に上方に立ち上げられて形成されている。立上り部７５は、長手方向に均一な断面で形成してあり、台形の上辺に相当する位置に締結孔２５が、突出部７６の締結孔４６と同様２箇所形成されている。突出部７６は、立上り部７５の下側に、ほとんど隙間なく収まる形状に形成されているのが好ましい。
【００５３】
図１４に、取付基台７４と防水板７２を屋根１６に取り付けた状態を示す。防水板７２は、前方を屋根材３６の間に挟まれた状態で、屋根材３６の上に敷かれている。取付基台７４は、基板２０を防水板７２を介して屋根材３６の上に載せ、防水板７２に形成された突出部７６に取付基台７４に形成された立上り部７５を被せる。更に図１５に示すように取付孔３９が形成された屋根材３６の下端の角部とその屋根材３６の上方に葺かれた屋根材３６の下端の角部とに取付基台７４を載せる。そしてビス３８を取付基台７４の締結孔２５と防水板７２の締結孔４６に通し、更に屋根材３６の取付孔３９に通して屋根１６に固定する。
【００５４】
図１２と図１５に、防水板７２を介して取付基台７４を屋根１６に取り付けた状態を示す。取付基台７４は、屋根材３６の下端の角部とその屋根材３６の上方に葺かれた屋根材３６の下端の角部とに載せてあることから、垂木３２の傾斜角度と同一の角度で取り付けられている。
【００５５】
また、ビス３８が突出部７６の頂部７７に設けられた締結孔４６を通って、屋根１６に固定されていることから、防水板７２上を流れる雨水などが締結孔４６を通って取付孔３９に到達することがない。また、防水板７２を屋根材３６の間に挟むだけであるので、容易に取付作業を行うことができる。
【００５６】
図１６、図１７に防水板の他の例を示す。防水板７８は、平板部分に図１７にも示すように突状７９が形成されている点を除き、防水板７２と基本的に同一の構造を有している。防水板７８は、突状７９が形成されていることから、屋根材３６の間に挟んだとき、突状７９により、間隙が形成され、防水板７８と屋根材３６との間に毛細管現象を生じさせず、雨水を吸引したり、雨水を長時間防水板７８と屋根材３６との間に保持させることがない。
【００５７】
図１８に、取付基台の他の例を示す。図１８に示す取付基台６４は、基板２１と取付片６５から形成されている。基板２１は、取付基台１３の基板２１と同様の構成で、防水板１４の複数の突出部４２の上を覆う平板状の部材で、両端が突出部４２に沿ってわずかに湾曲し、中央には、取付孔３９に対応して締結孔４６が設けられている。
【００５８】
取付片６５、逆Ｌ字状で、左右外方に張出し部分６６を張り出し、基板２１に一体に固定してある。張出し部分６６には、ねじ孔６７が形成され、太陽電池パネル６０を取り付けるための支持材１８が固定される。このように取付基台を構成してもよい。
【００５９】
尚、突出部は、取付孔に雨水等が到達しなければよく、取付孔を避けて雨水を流すことかできれば、衝立状のものでもよく、あるいは溝状に形成し、溝内部を流すようにしてもよい。また防水板は、樹脂製に限らず、金属製でもよい。
以下に、本願出願の当初の特許請求の範囲に記載された発明を付記する。
［１］屋根構造部材上に屋根材を、該屋根材の上方に他の屋根材の一部を重ねて葺き、
所定の前記屋根材に、該屋根材を貫通する取付孔を形成し、
防水板を、前記取付孔を覆うように前記取付孔を有する屋根材に載せるとともに前記取付孔を有する屋根材と該屋根材に重ねられた前記他の屋根材との間に該防水板の上部を挿し入れ、
取付基台を前記防水板上に載せ、
緊結材を前記防水板及び前記取付孔を貫いて前記屋根に締結し、前記取付基台を該緊結材により前記屋根に固定させ、
更に前記緊結材を、前記防水板に設けられた立上り部の前記屋根の傾斜に沿った下方の位置で該防水板を貫通させ、前記立上り部により、前記防水板上を流れる流体が前記取付孔を避けて流下するように形成することを特徴とした屋根配置設備の屋根への取付方法。
［２］屋根材の上方に他の屋根材の一部を重ねて葺いた屋根と、
前記屋根材の表裏を貫通して形成された取付孔と、
前記取付孔を通して前記屋根に締結された緊結材と、
前記緊結材により前記屋根に固定され、屋根配置設備を連結する取付基台と、
前記取付孔を有する屋根材と前記取付基台との間に設けられ、上部を前記取付孔を有する屋根材と前記他の屋根材との間に挿し入れられた防水板と、
前記防水板に形成された立上り部と、を備え、
前記緊結材が、前記立上り部の、前記屋根の傾斜に沿った下方の位置で前記防水板を貫いていることを特徴とする屋根配置設備を配置した屋根構造。
［３］屋根材の上方に他の屋根材の一部を重ねて葺いた屋根と、
前記屋根材の表裏を貫通して形成された取付孔と、
前記取付孔を通して前記屋根に締結された緊結材と、
前記緊結材により前記屋根に固定され、屋根配置設備を連結する取付基台と、を備え、
前記屋根配置設備を前記取付基台を介して配置する屋根において、
前記取付孔を有する屋根材と前記取付基台との間に設けられた防水板であり、該防水板の上部片が、前記取付孔を有する屋根材と前記他の屋根材との間に挿し入れ可能に形成され、
下部片が、該防水板を前記緊結材が貫く位置の前記屋根の傾斜に沿った上方に立上り部を有していることを特徴とする防水板。
［４］前記立上り部は、前記緊結材が前記防水板を貫く位置の周囲から立ち上げられた突状部の一部である［３］に記載の防水板。
［５］前記立上り部は、前記緊結材が前記防水板を貫く複数の位置を含む突状部の一部である［４］に記載の防水板。
［６］下部片は、断面凹凸部を前記屋根の傾斜に沿って平行に有する波板状に形成され、該下部片の突状部頂部に前記緊結材を貫かせた［３］〜［６］に記載の防水板。
［７］前記立上り部以外の位置に、前記屋根材との間に少なくとも水の毛細管現象を生じさせない凹もしくは凸を形成した［３］〜［６］のいずれかに記載の防水板。
［８］前記下部片の下端下面に突起を複数設け、前記防水板の下端下面と前記屋根材との間への雨水の浸入を防止した［３］〜［６］のいずれかに記載の防水板。
［９］前記凹凸部の高さ幅を、前記防水板の上下方向に沿って異ならせ、前記取付基台が前記屋根の傾斜角度と同一の傾斜角度となるように形成した［６］に記載の防水板。
［１０］［３］〜［９］のいずれかに記載の防水板にかかる取付基台であり、前記凹凸部の複数の突状部に載せる基板を備えた屋根配置設備を取り付ける取付基台。
［１１］前記屋根の傾斜方向に沿った上下の前記屋根材のそれぞれの角に、前記取付基台を載せた［２］に記載の屋根配置設備を配置した屋根構造。
【産業上の利用可能性】
【００６０】
本発明は、太陽電池パネルを屋根などに取り付ける際の取付基台に用いることができる。
【符号の説明】
【００６１】
１０、１１…屋根構造  １２…取付基台  １４…防水板  １６…屋根  １８…支持材  ２０…基板  ２２…取付片  ２４…間隙  ２５．４６…締結孔  ２８…押さえ板  ３２…垂木  ３４…野地板  ３６…屋根材  ３８…ビス  ３９…取付孔  ４０…凹凸部  ４２…突出部  ４３…頂部  ４４…端縁  ４６…締結孔  ４８…折曲片  ５２…上部片  ５４…下部片  ６０…太陽電池パネル  ６５…取付片  ６７…ねじ孔  ７９…突状
【図１】
0005888580.tif 000002
【図２】
0005888580.tif 000003
【図３】
0005888580.tif 000004
【図４】
0005888580.tif 000005
【図５】
0005888580.tif 000006
【図６】
0005888580.tif 000007
【図７】
0005888580.tif 000008
【図８】
0005888580.tif 000009
【図９】
0005888580.tif 000010
【図１０】
0005888580.tif 000011
【図１１】
0005888580.tif 000012
【図１２】
0005888580.tif 000013
【図１３】
0005888580.tif 000014
【図１４】
0005888580.tif 000015
【図１５】
0005888580.tif 000016
【図１６】
0005888580.tif 000017
【図１７】
0005888580.tif 000018
【図１８】
0005888580.tif 000019